(57)【特許請求の範囲】
【請求項１】
周波数掃引可能な局部発振器（２ａ）を有し、該局部発振器の発振信号と被測定信号を混合して該被測定信号を中間周波数信号に変換する周波数変換部（２）と、前記中間周波数信号を受けて検波して出力する検波器（４）と、前記検波器の出力をデジタルデータに変換するＡ／Ｄ変換器（５）と、該Ａ／Ｄ変換器により変換されたデジタルデータを記憶する記憶手段（６）と、前記局部発振器の出力周波数を所定掃引時間で掃引するための掃引信号を送出する掃引制御部（３）と、前記記憶手段に記憶されたデジタルデータを基に前記被測定信号のスペクトラム波形を横軸を周波数軸とする座標上に表示する表示手段（７）と、前記表示手段に表示された波形のピーク検出を行うピーク検出手段（９ａ）と、このピーク検出されたピーク信号のうち前記設定手段で設定された設定条件に合う有効ピークのピーク信号を抽出する有効ピーク判別手段（９ｂ）と、該有効ピーク判別手段で抽出された有効ピークのピークリストを作成するピークリスト作成手段（９ｃ）とを備え、前記表示手段の管面内のＸ座標相当の所定位置にマーカを設定表示して該マーカの信号の値を読み出す信号分析装置において、
前記表示手段に表示された前記スペクトラム波形に位置を可変可能とされたカレントマーカ（１１）及びピーク点を示すためのマルチマーカ（１２）を表示するための設定条件を設定する設定手段（８）と、
前記作成されたピークリストに基づいて前記カレントマーカの周波数軸上の位置を中心に左右複数ポイントずつの有効ピークの位置に前記カレントマーカに近い順にマルチマーカ表示制御する表示制御手段（９ｄ）とを備えたことを特徴とする信号分析装置。
【請求項２】
前記表示制御手段（９ｄ）は、前記マルチマーカそれぞれのピーク周波数とレベルとの一覧を前記スペクトラム波形とともに前記表示手段（７）に表示することを特徴とする請求項１記載の信号分析装置。
【請求項３】
周波数掃引可能な局部発振器（２ａ）を有し、該局部発振器の発振信号と被測定信号を混合して該被測定信号を中間周波数信号に変換する周波数変換部（２）と、前記中間周波数信号を受けて検波して出力する検波器（４）と、前記検波器の出力をデジタルデータに変換するＡ／Ｄ変換器（５）と、該Ａ／Ｄ変換器により変換されたデジタルデータを記憶する記憶手段（６）と、前記局部発振器の出力周波数を所定掃引時間で掃引するための掃引信号を送出する掃引制御部（３）と、前記記憶手段に記憶されたデジタルデータを基に前記被測定信号のスペクトラムの波形を表示する表示手段（７）と、前記表示手段に表示された波形のピーク検出を行うピーク検出手段（９ａ）と、このピーク検出されたピーク信号のうち前記設定手段で設定された設定条件に合う有効ピークのピーク信号を抽出する有効ピーク判別手段（９ｂ）と、該有効ピーク判別手段で抽出された有効ピークのピークリストを作成するピークリスト作成手段（９ｃ）とを備え、前記表示手段の管面内のＸ座標相当の所定位置にマーカを設定表示して該マーカの信号の値を読み出す信号分析装置のマーカ表示方法において、
前記表示手段に表示された前記スペクトラム波形に位置を可変可能とされたカレントマーカ（１１）及びピーク点を示すためのマルチマーカ（１２）を表示するための設定条件を設定し、前記作成されたピークリストに基づいて前記カレントマーカの周波数軸上の位置を中心に左右複数ポイントずつの有効ピークの位置に前記カレントマーカに近い順にマルチマーカを表示制御することを特徴とするマーカ表示方法。
【請求項４】
前記マルチマーカそれぞれのピーク周波数とレベルとの一覧を前記スペクトラム波形とともに前記表示手段（７）に表示することを特徴とする請求項３記載のマーカ表示方法。
【発明の詳細な説明】
【０００１】
【発明の属する技術分野】
本発明は、例えば携帯電話等の移動通信システムに採用される信号を被測定信号として掃引測定し、そのスペクトラム測定の結果を波形表示する信号分析装置に関し、特に、表示器の管面内にマーカを設定表示し、そのマーカが位置する信号の値を読み出すことができる信号分析装置及びマーカ表示方法に関する。
【０００２】
【従来の技術】
周波数成分ごとの信号を表示・解析する信号分析装置としてスペクトラムアナライザが知られている。スペクトラムアナライザでは、以下に説明するようなマーカ機能とサーチ機能を使ってユーザが望む信号の値を読み出している。一般的に、１回の測定に対して、読み出すべき信号は複数あり、従来からさまざまなサーチ機能を提供している。
【０００３】
従来のサーチ機能としては、「Ｎｅｘｔ  ｐｅａｋ  ｓｅａｒｃｈ」のサーチ機能を使用したものが知られている。スペクトラムアナライザを使った測定により、図５に示すような波形を取り込み、サーチ機能「Ｎｅｘｔ  ｐｅａｋ  ｓｅａｒｃｈ」を使用して信号の値を読み出す場合の手順について説明する。
【０００４】
なお、図５における条件として、信号Ｘを中心の帯域を測定対象にし、有効な信号のレベルの下限値を示す「しきい値」は一点鎖線の位置に設定されているものとする。
【０００５】
図５に示すような波形を取り込んで信号の値を読み出す場合には、（１）信号Ｘを起点として左右の信号の値を順次読み込む。（２）マーカ２２を信号Ｘの位置へ移動する。（３）サーチ機能「Ｎｅｘｔ  Ｌｅｆｔ  ｓｅａｒｃｈ」を使って信号Ａを検出する。（４）信号Ｘのマーカ値を読み出し、読み出したマーカ値を記録する。（５）サーチ機能「Ｎｅｘｔ  Ｌｅｆｔ  ｓｅａｒｃｈ」を使って信号Ｂを検出する。（６）信号Ｂのマーカ値を読み出し、読み出したマーカ値を記録する。（７）サーチ機能「Ｎｅｘｔ  Ｌｅｆｔ  ｓｅａｒｃｈ」を実行し、その結果がエラーとなるので、信号がないことを認識する。（８）マーカ２２を信号Ｘの位置へ移動する。（９）サーチ機能「Ｎｅｘｔ  Ｒｉｇｈｔ  ｓｅａｒｃｈ」を使って信号Ｃを検出する。（１０）信号Ｃのマーカ値を読み出し、読み出したマーカ値を記録する。（１１）サーチ機能「Ｎｅｘｔ  Ｒｉｇｈｔ  ｓｅａｒｃｈ」を実行し、その結果がエラーとなるので、信号がないことを認識する。以上により、図５に示す波形に対する信号の値の読み出しを完了する。
【０００６】
【発明が解決しようとする課題】
しかしながら、従来の方法では、図５の波形からのマーカ値の読み出しを行う際、サーチ機能を５回、サーチされた信号の値の読み出しを３回実行しており、全体で１１手順を要する。すなわち、上述した従来の方法で管面内から複数点の信号を読み出す場合には、複数回のサーチと読み出しが必要になり、時間がかかるという問題があった。また、サーチ完了をエラーによってのみ確認するため、左右１回ずつ余計に実行しなければならないという問題があった。
【０００７】
また、従来のスペクトラムアナライザには、マルチマーカを使用した機能を備えたものが知られている。マルチマーカを使用した機能とは、図６に示すように、表示器の管面２１に表示される波形中に予め決められた数（例えば１０個）のマーカ２３を配置し、マーカ２３が指す信号のレベルをリスト表示２４やリモートコマンドにて値を読み出せる機能である。
【０００８】
ところで、上述したマルチマーカ２３のサーチ機能として、従来は、管面２１内の信号に対してレベルの高い順にマーカを設定する「Ｈｉｇｈｅｓｔ１０」と、カレントマーカのＮ倍の周波数ごとにマーカを設定する「Ｈａｒｍｏｎｉｃｓ」の２つの機能が知られている。
【０００９】
しかしながら、「Ｈｉｇｈｅｓｔ１０」では、レベルによって配置されるマーカの位置が決まるので、カレントマーカとの対応付けができない。その結果、観測周波数より低い信号に複数のマーカを設定するおそれがあった。また、「Ｈａｒｍｏｎｉｃｓ」では、決まった周波数毎にマーカが設定されるので、レベルとの対応付けができない。その結果、所望とするレベルの信号にマーカを設定することができないおそれがあった。
【００１０】
そこで、本発明は、上記問題点に鑑みてなされたものであり、ユーザが指定する所望の位置にマルチマーカを設定表示し、マルチマーカが位置するデータの読み出しを高速に行うことが可能な信号分析装置及びマーカ表示方法を提供することを目的としている。
【００１１】
【課題を解決するための手段】
上記目的を達成するため、請求項１の発明は、周波数掃引可能な局部発振器２ａを有し、該局部発振器の発振信号と被測定信号を混合して該被測定信号を中間周波数信号に変換する周波数変換部２と、前記中間周波数信号を受けて検波して出力する検波器４と、前記検波器の出力をデジタルデータに変換するＡ／Ｄ変換器５と、該Ａ／Ｄ変換器により変換されたデジタルデータを記憶する記憶手段６と、前記局部発振器の出力周波数を所定掃引時間で掃引するための掃引信号を送出する掃引制御部３と、前記記憶手段に記憶されたデジタルデータを基に前記被測定信号のスペクトラム波形を横軸を周波数軸とする座標上に表示する表示手段７と、前記表示手段に表示された波形のピーク検出を行うピーク検出手段９ａと、このピーク検出されたピーク信号のうち前記設定手段で設定された設定条件に合う有効ピークのピーク信号を抽出する有効ピーク判別手段９ｂと、該有効ピーク判別手段で抽出された有効ピークのピークリストを作成するピークリスト作成手段９ｃとを備え、前記表示手段の管面内のＸ座標相当の所定位置にマーカを設定表示して該マーカの信号の値を読み出す信号分析装置において、
前記表示手段に表示された前記スペクトラム波形に位置を可変可能とされたカレントマーカ１１及びピーク点を示すためのマルチマーカ１２を表示するための設定条件を設定する設定手段８と、
前記作成されたピークリストに基づいて前記カレントマーカの周波数軸上の位置を中心に左右複数ポイントずつの有効ピークの位置に前記カレントマーカに近い順にマルチマーカ表示制御する表示制御手段９ｄとを備えたことを特徴とする。
【００１２】
請求項２の発明は、請求項１の信号処理装置において、
前記表示制御手段９ｄは、前記マルチマーカそれぞれのピーク周波数とレベルとの一覧を前記スペクトラム波形とともに前記表示手段７に表示することを特徴とする。
【００１３】
請求項３の発明は、周波数掃引可能な局部発振器２ａを有し、該局部発振器の発振信号と被測定信号を混合して該被測定信号を中間周波数信号に変換する周波数変換部２と、前記中間周波数信号を受けて検波して出力する検波器４と、前記検波器の出力をデジタルデータに変換するＡ／Ｄ変換器５と、該Ａ／Ｄ変換器により変換されたデジタルデータを記憶する記憶手段６と、前記局部発振器の出力周波数を所定掃引時間で掃引するための掃引信号を送出する掃引制御部３と、前記記憶手段に記憶されたデジタルデータを基に前記被測定信号のスペクトラムの波形を表示する表示手段７と、前記表示手段に表示された波形のピーク検出を行うピーク検出手段９ａと、このピーク検出されたピーク信号のうち前記設定手段で設定された設定条件に合う有効ピークのピーク信号を抽出する有効ピーク判別手段９ｂと、該有効ピーク判別手段で抽出された有効ピークのピークリストを作成するピークリスト作成手段９ｃとを備え、前記表示手段の管面内のＸ座標相当の所定位置にマーカを設定表示して該マーカの信号の値を読み出す信号分析装置のマーカ表示方法において、
前記表示手段に表示された前記スペクトラム波形に位置を可変可能とされたカレントマーカ１１及びピーク点を示すためのマルチマーカ１２を表示するための設定条件を設定し、前記作成されたピークリストに基づいて前記カレントマーカの周波数軸上の位置を中心に左右複数ポイントずつの有効ピークの位置に前記カレントマーカに近い順にマルチマーカを表示制御することを特徴とする。
【００１４】
請求項４の発明は、請求項３のマーカ表示方法において、
前記マルチマーカそれぞれのピーク周波数とレベルとの一覧を前記スペクトラム波形とともに前記表示手段７に表示することを特徴とする。
【００２２】
【発明の実施の形態】
図１は本発明による信号分析装置の実施の形態を示す機能ブロック図、図２は同信号分析装置のピークホールド機能を説明するための図、図３は同信号分析装置でピークホールド機能を実行したときのマーカリストなしの表示状態の一例を示す図、図４は同信号分析装置でピークホールド機能を実行したときのマーカリスト付きの表示状態の一例を示す図である。
【００２３】
本例の信号分析装置１は、例えば携帯電話等の移動通信システムに採用される信号を被測定信号として掃引測定し、そのスペクトラム測定の結果を波形表示するものであり、図１に示すように、周波数変換部２、掃引制御部３、検波器４、Ａ／Ｄ変換器５、記憶手段（波形メモリ）６、表示手段（表示器）７、設定手段８、信号処理手段９を備えて構成される。
【００２４】
周波数変換部２は、局部発振器２ａ、信号混合器２ｂ、帯域制限フィルタ（ＩＦフィルタ）２ｃを備えて構成される。
【００２５】
局部発振器２ａは、周波数ドメインの状態において、掃引制御部３からの掃引信号により所定の周波数範囲にわたって発振周波数が掃引（周波数掃引）される。これに対し、タイムドメインの状態では、掃引制御部４からの掃引信号は局部発振器２ａに送られず、局部発振器２ａが固定の発振周波数に設定される。
【００２６】
信号混合器２ｂは、外部からの被測定信号と、局部発振器２ａからの発振周波数とを混合し、中間周波数信号（ＩＦ信号）に変換してＩＦフィルタ２ｃに入力している。
【００２７】
ＩＦフィルタ２ｃは、バンドパスフィルタからなり、信号混合器２ｂからのＩＦ信号を所定の周波数幅に帯域制限して通過させている。
【００２８】
掃引制御部３は、局部発振器２ａの出力周波数を所定掃引時間で掃引するための掃引信号（電圧信号）を出力している。更に説明すると、掃引制御部３は、周波数ドメインの状態において、局部発振器２ａの発振周波数を所定の周波数範囲にわたって掃引するべく掃引信号を局部発振器２ａに入力し、局部発振器２ａの発振周波数を可変している。これに対し、タイムドメインの状態では、局部発振器２ａの発振周波数が固定となるように局部発振器２ａの発振周波数を設定している。
【００２９】
検波器４は、ＩＦフィルタ２ｃを通過した中間周波数信号を受けて検波し、この検波した信号をＡ／Ｄ変換器５に出力している。
【００３０】
Ａ／Ｄ変換器５は、検波器４が検波した信号をデジタルデータに変換している。
【００３１】
波形メモリとしての記憶手段６は、Ａ／Ｄ変換器５により変換されたデジタルデータ（波形データ）を記憶し格納している。
【００３２】
表示手段７には、記憶手段６に格納されたデジタルデータ（電力値）が縦軸信号として入力され、掃引制御部３の掃引信号が横軸信号として入力される。表示手段７は、管面７ａ上の横軸（Ｘ座標）を周波数目盛りとし、縦軸（Ｙ座標）を被測定信号に含まれる各周波数成分の大きさ（強度）として波形を表示している。また、表示手段７は、タイムドメインの状態において、管面７ａ上の横軸を時間目盛りとし、縦軸を被測定信号に含まれる周波数成分の大きさとして波形を表示している。
【００３３】
設定手段８は、ユーザのコマンド入力やキー操作により様々な設定を行うものであり、カレントマーカ設定手段８ａ、しきい値設定手段８ｂ、しきい値範囲設定手段８ｃ、しきい値オン・オフ設定手段８ｄ、ピーク分解能設定手段８ｅ、コマンド入力設定手段８ｆを備えて構成される。
【００３４】
カレントマーカ設定手段８ａは、表示手段７の管面７ａに表示される波形中にカレントマーカ１１を配置する際のカレントマーカ１１の位置情報（例えば図３や図４の横軸のＸ座標情報）を設定している。このカレントマーカ１１の位置情報は、後述するピークリスト作成手段９ｃ及び表示制御手段９ｄに入力される。なお、通常、カレントマーカ１１は、ユーザの設定により、観測周波数の中心周波数に設定されるが、被測定信号のサーチ周波数範囲内の所定位置に設定することも可能である。
【００３５】
しきい値設定手段８ｂは、後述する有効ピーク判別手段９ｂによって有効ピークを判別するための比較データとして、観測する被測定信号のレベルに応じてサーチしきい値を設定している。
【００３６】
しきい値範囲設定手段８ｃは、しきい値設定手段８ｂで設定されるサーチしきい値の範囲を設定している。本例では、サーチしきい値より上の範囲を「Ａｂｏｖｅ」とし、サーチしきい値より下の範囲を「Ｂｅｌｏｗ」と定義して設定している。
【００３７】
しきい値オン・オフ設定手段８ｄは、しきい値設定手段８ｂ及びしきい値範囲設定手段８ｃの設定を有効にするか、無効にするかの設定を行っている。本例では、サーチしきい値オンの設定がなされると、しきい値設定手段８ｂ及びしきい値範囲設定手段８ｃの設定が有効となり、これら設定情報が後述する有効ピーク判別手段９ｂに入力される。これに対し、サーチしきい値オフの設定がなされたときには、しきい値設定手段８ｂ及びしきい値範囲設定手段８ｃの設定が無効となり、これら設定情報は後述する有効ピーク判別手段９ｂには入力されないようになっている。
【００３８】
ピーク分解能設定手段８ｅは、後述するピーク検出手段９ａにより波形をサーチしたときの極大点と極小点との差と比較するための値をピーク分解能として設定している。この設定されたピーク分解能の情報は後述する有効ピーク判別手段９ｂに入力される。
【００３９】
コマンド入力設定手段８ｆは、後述するピークリスト作成手段９ｃで作成されるピークリストに基づいて設定表示されるマルチマーカ１２それぞれのピーク周波数とレベルをマルチマーカリストとして表示手段７の管面７ａに波形とともに表示するか否かを予め決められたコマンド入力により設定している。このコマンド入力による設定情報は後述する表示制御手段９ｄに入力される。
【００４０】
また、コマンド入力設定手段８ｆからは、後述する「ピークカウント機能」や「マーカ値同時読出機能」を実行する場合に、予め決められたコマンドが入力される。
【００４１】
信号処理手段９は、例えばＣＰＵなどのマイクロプロセッサからなり、ピーク検出手段９ａ、有効ピーク判別手段９ｂ、ピークリスト作成手段９ｃ、表示制御手段９ｄ、ピーク点読出制御手段９ｅ、データ出力制御手段９ｆを備えて構成される。
【００４２】
ピーク検出手段９ａは、記憶手段６に格納されたデータに基づき、表示手段７の管面７ａ上に表示される全ての信号からピークを検出している。更に説明すると、ピーク検出手段９ａは、記憶手段６に格納されたデータに基づき、表示手段７の管面７ａ上の波形を左から右にサーチし、その波形の傾きがマイナスからプラスに変化した後、マイナスに変化した極大点をピークとして検出している（図２参照）。したがって、このピーク検出によるピークの最大数は、測定ポイント数の半分となる。例えば測定ポイント数が５０１ポイントであれば、ピークは最大で２５０ポイント存在する。このピーク検出手段９ａによって検出されたピーク信号は有効ピーク判別手段９ｂに入力される。
【００４３】
有効ピーク判別手段９ｂは、ピーク検出手段９ａによって検出されたピーク信号のうち設定手段８によって設定される設定条件に合うピーク信号のみを有効ピークとして判別している。更に説明すると、有効ピーク判別手段９ｂは、しきい値設定手段８ｂ及びしきい値範囲設定手段８ｃの設定が無効のとき、極小点と極大点の差がピーク分解能設定手段８ｅにより設定されたピーク分解能以上のピーク信号を有効ピークとして判別している。
【００４４】
これに対し、有効ピーク判別手段９ｂは、しきい値設定手段８ｂ及びしきい値範囲設定手段８ｃの設定が有効で、サーチしきい値範囲が「Ａｂｏｖｅ」のとき、サーチしきい値よりも上（高いレベル）にあるピーク信号を有効ピークとして判別している。また、有効ピーク判別手段９ｂは、しきい値設定手段８ｂ及びしきい値範囲設定手段８ｃの設定が有効で、サーチしきい値範囲が「Ｂｅｌｏｗ」のとき、サーチしきい値よりも下（低いレベル）にあるピーク信号を有効ピークとして判別している。
【００４５】
ピークリスト作成手段９ｃは、有効ピーク判別手段９ｂにより有効ピークと判別されたピーク信号に基づいてピークリストを作成している。下記表１は、ピークリスト作成手段９ｃによって作成されるピークリストの一例を示している。この表１に示すように、ピークリストとしては、有効ピークと判別された順番に、そのピーク信号のＸ座標（表示手段７の管面７ａの横軸に相当）、周波数、レベルが一覧表形式で作成される。
【００４６】
【表１】
0003836303.tif 000002
【００４７】
表示制御手段９ｄは、カレントマーカ設定手段８ａからのカレントマーカの周波数データ、ピークリスト作成手段９ｃによって作成されたピークリストに基づき、カレントマーカのＸ座標相当の位置を中心に左右複数個のマルチマーカ１２を表示手段７の管面７ａ上に設定して表示制御している。
【００４８】
本例では、カレントマーカ１１のＸ座標相当の位置を中心に左右最大５ポイントずつの有効ピークと判別されたピークがマルチマーカ１２として設定され、その表示制御が行われる。表示制御手段９ｄは、マルチマーカ１２の設定表示制御を行うにあたって、マーカ値をまとめて読み出せるように、カレントマーカ１１を中心として、カレントマーカ１１の左側にあるピークはカレントマーカ１１に近い順にマーカナンバー５、４、３、２、１と設定して表示制御している。これに対し、カレントマーカ１１の右側にあるピークはカレントマーカ１１に近い順にマーカナンバー６、７、８、９、１０と設定して表示制御している。表１のピークリストに基づく図３及び図４の表示例では、信号ＸのＸ座標の位置にカレントマーカ１１が配置され、信号Ａのマルチマーカ１２ａがマーカナンバー５に設定され、信号Ｂのマルチマーカ１２ｂがマーカナンバー４に設定され、信号Ｃのマルチマーカ１２ｃがマーカナンバー６に設定される。なお、表示制御手段９ｄは、有効ピーク判別手段９ｂが有効ピークなしと判別したときには、マルチマーカ１２の設定表示を行わない。
【００４９】
また、表示制御手段９ｄは、マルチマーカリストを波形とともに表示する旨の設定がコマンド入力設定手段８ｆから特に入力されなければ、図３に示すように、表示手段７の管面７ａに設定されたマルチマーカ１２のみを波形とともに表示制御している。
【００５０】
これに対し、マルチマーカリストを波形とともに表示する旨の設定がコマンド入力設定手段８ｆから入力されると、図４に示すように、マルチマーカ１２に加え、各マルチマーカ１２のピーク周波数とレベルをマルチマーカリストとして表示手段７の管面７ａに波形とともに表示制御している。
【００５１】
ピーク点読出制御手段９ｅは、コマンド入力設定手段８ｆからマルチマーカ１２のピーク点の個数を読み出すためのコマンドが入力設定されたときに、ピークリスト作成手段９ｂで作成されたピークリストに基づいて、カレントマーカ１１を中心とする左右のピーク点の個数を読み出している。この結果は表示制御手段９ｄの制御により表示手段７に表示される。このピーク点の個数を読み出す際のコマンドとしては、左右のピーク個数をレスポンスデータとして一度に出力するクエリコマンドが用いられる。なお、レスポンスデータは、左側の数、右側の数としてマルチマーカ１２のピーク点を読むことができる。
【００５２】
データ出力制御手段９ｆは、コマンド入力設定手段８ｆからマルチマーカ１２のマーカ値を同時に読み出すためのコマンドが入力設定されたときに、ピークリスト作成手段９ｂで作成されたピークリストに基づいて、マルチマーカ１２のマーカナンバー順（例えば１０個であれば、１〜１０の順）にオンになっているマーカナンバーの周波数、時間データ、レベルデータを出力制御している。
【００５３】
次に、上記のように構成される信号分析装置１によって実行される「ピークホールド機能」について説明する。
【００５４】
本例における「ピークホールド機能」は、次の手順でマルチマーカ１２を設定表示する機能である。
（１）表示手段７の管面７ａ内のすべての信号からピークを検出し、さらに検出したピーク信号のうち設定条件（予め設定されたサーチしきい値、サーチ分解能）に合う有効ピークを抽出し、抽出した有効ピークの順に各有効ピークの表示手段７のＸ座標（横軸）、周波数、レベルを持つピークリストを作成する。
（２）カレントマーカ設定手段８ａのカレントマーカ１１の設定情報と、作成されたピークリストからカレントマーカ１１のＸ座標相当の位置を求める。この処理は、カレントマーカ１１がピークとは限らないため実行される。
（３）カレントマーカ１１のＸ座標相当の位置を中心に左右複数ポイント（例えば５ポイント）ずつの有効ピークをマルチマーカ１２として設定して表示する。マルチマーカ１２のマーカ値をまとめて読み出せるように、カレントマーカ１１の左側にあるピークは、カレントマーカ１１に近い順にマーカナンバーを５、４、３、２、１と設定してマルチマーカ１２を表示し、カレントマーカ１１の右側にあるピークは、近い順にマーカナンバーを６、７、８、９、１０と設定してマルチマーカを表示する。なお、有効ピークがない場合には、マルチマーカ１２の設定表示は行わない。
（４）マルチマーカリストの表示が有効に設定されているときは、マルチマーカ１２に位置する信号のピークの周波数とレベルがマーカリストとして一覧表示する。なお、表示速度が遅くなるため、自動測定ではマーカリストなしとして実行した方が好ましい。
【００５５】
次に、信号処理手段９によって実行される「ピークホールド機能」の動作として、サーチしきい値が有効でサーチしきい値範囲がＡｂｏｖｅ（サーチしきい値以上）に設定されている場合を説明する。以下のマルチマーカ１２の設定表示によれば、所望レベル以上のピーク信号のみを抽出して観測する場合に有効である。
【００５６】
ここでは、図３に示すような波形を取り込み、信号ＸのＸ座標相当の位置にカレントマーカ１１が設定されている状態でマルチマーカ１２を設定表示する場合を例にとって説明する。
【００５７】
まず、ピーク検出手段９ａは、記憶手段６に格納されたデータに基づく表示手段７の管面７ａ上の波形を左から右にサーチし、その波形の傾きがマイナスからプラスに変化した後、マイナスに変化した極大点をピークとして検出する。
【００５８】
次に、有効ピーク判別手段９ｂは、ピーク検出手段９ａによって検出されたピーク信号のうち、サーチしきい値よりも上にあるピーク信号を有効ピークとして判別する。図３の波形の例では、信号Ａ，Ｂ，Ｘ，Ｃが有効ピークとして判別される。
【００５９】
次に、ピークリスト作成手段９ｃは、有効ピーク判別手段９ｂにより有効ピークと判別されたピーク信号に基づいてピークリストを作成する。図３の波形の例では、表１に示すように、有効ピークと判別された順に各ピーク信号Ａ，Ｂ，Ｘ，ＣのＸ座標、周波数、レベルが一覧表形式でピークリストが作成される。
【００６０】
そして、表示制御手段９ｄは、カレントマーカ設定手段８ａからのカレントマーカ１１の周波数データ、ピークリスト作成手段９ｃによって作成されたピークリストに基づき、カレントマーカ１１のＸ座標相当の位置を中心に左右複数個のマルチマーカ１２を表示手段７の管面７ａ上に設定して表示制御する。その際、マーカナンバーとともにマルチマーカ１２の表示を行うこともできる。
【００６１】
図３の波形の例では、本例では、３番目に有効ピークと判別されたピーク信号ＸのＸ座標相当の位置にカレントマーカ１１が表示され、このカレントマーカ１１１のＸ座標相当の位置を中心として、１番目と２番目に有効ピークと判別されたピーク信号Ａ，ＢのＸ座標相当の位置にマルチマーカ１２ａ，１２ｂが設定表示される。また、カレントマーカ１１のＸ座標相当の位置を中心として、４番目に有効ピークと判別されたピーク信号ＣのＸ座標相当の位置にマルチマーカ１２ｃが設定表示される。
【００６２】
なお、上記「ピークホールド機能」において、サーチしきい値が有効でサーチしきい値範囲がＢｅｌｏｗ（サーチしきい値以下）に設定されている場合、有効ピーク判別手段９ｂは、ピーク検出手段９ａによって検出されたピーク信号のうち、サーチしきい値よりも下にあるピーク信号を有効ピークとして判別する。それ以降の動作については、上述したサーチしきい値が有効でサーチしきい値範囲がＢｅｌｏｗに設定されている場合と同様の処理が実行される。このマルチマーカ１２の設定表示によれば、観測信号の影響により発生する信号の観測、雑音レベルの信号の測定、微弱な妨害波などを測定する場合に有効である。
【００６３】
また、しきい値設定手段８ｂ及びしきい値範囲設定手段８ｃによる設定を無効、すなわちサーチしきい値を無効とした場合には、ピーク分解能設定手段８ｅの設定によるサーチ分解能のみが有効となる。そして、有効ピーク判別手段９ｂは、ピーク検出手段９ａで検出されたピーク信号のうち、サーチ分解能を以上のピーク信号のみ有効ピークと判別する。それ以降の動作については、上述したサーチしきい値を有効とした場合と同様の処理が実行される。
【００６４】
次に、本例の信号分析装置１による「ピーク点読出機能（ピークカウント機能）」について説明する。
【００６５】
「ピーク点読出機能」は、予め決められたコマンド（左右のピーク個数をレスポンスデータとして一度に出力するクエリコマンド）がコマンド入力設定手段８ｆから入力されると、ピーク点読出制御手段９ｅがピークリスト作成手段９ｃで作成されたピークリストに基づいてカレントマーカ１１を中心とする左右のピーク点の個数を読み出して出力する。このピーク点読出制御手段９ｅから出力される情報は、表示制御手段９ｄの制御により表示手段７に表示したり、外部の端末装置に出力される。
【００６６】
ところで、本例の信号分析装置１では、上述した「ピークホールド機能」、「ピークカウント機能」の他に、「マーカ値同時読出機能」を備えている。
【００６７】
「マーカ値同時読出機能」では、予め決められたコマンドがコマンド入力設定手段８ｆから入力されると、マルチマーカ１２のマーカナンバー順（例えばマルチマーカ１２の個数が１０個であれば、１〜１０の順）にオンになっているマルチマーカ１２の周波数、時間データ、レベルデータを同時に読み出し、例えばパーソナルコンピュータ等の外部の装置に出力される。
【００６８】
このように、本例の信号分析装置１では、表示手段７の管面７ａ内の波形をサーチしてピーク検出を行い、ピーク検出されたピーク信号のうち設定条件に合う有効ピークのピーク信号を抽出し、この抽出された有効ピークのピーク信号のピークリストを作成し、この作成されたピークリストに基づいてカレントマーカ１１のＸ座標相当の位置を中心に左右複数ポイントの有効ピークをマルチマーカ１２として設定して表示する「ピークホールド機能」を採用している。これにより、ユーザが指定する所望の位置にマルチマーカ１２を設定表示することができる。また、作成されたピークリストからマルチマーカ１２が位置するデータの読み出しを高速に読み出すことができる。
【００６９】
また、本例の信号分析装置１では、「ピークホールド機能」で作成されるピークリストからピークの数を読み出して通知する「ピーク点読出機能」を採用している。これにより、ユーザによる無駄な実行を省略することができる。具体的には、「ピーク点読出機能」を使用し、カレントマーカ１１を中心とする左右のピーク点の個数を表示手段７に表示すれば、ユーザはその表示を見て、例えば更に右側のピークの信号を観測したい場合には、カレントマーカ１１を右側に再設定し、上述した「ピークホールド機能」を実行すれば観測したい信号のピークを知ることができる。
【００７０】
さらに、本例の信号分析装置１では、マルチマーカ１２のマーカナンバー順にオンになっているマルチマーカ１２のデータ（周波数、時間、レベルの各データ）を同時に読み出して出力する「マーカ値同時読出機能」を採用している。これにより、表示手段７の管面７ａ上に設定表示された全てのマルチマーカ１２に関するデータを外部に出力することができる。
【００７１】
【発明の効果】
以上の説明で明らかなように、本発明によれば、表示手段の管面内の波形をサーチしてピーク検出を行い、ピーク検出されたピーク信号のうち設定条件に合う有効ピークのピーク信号を抽出し、この抽出された有効ピークのピーク信号のピークリストを作成し、この作成されたピークリストに基づいてカレントマーカのＸ座標相当の位置を中心に左右複数ポイントの有効ピークをマルチマーカとして設定して表示するので、ユーザが指定する所望の位置にマルチマーカを設定表示することができる。また、作成されたピークリストからマルチマーカが位置するデータの読み出しを高速に読み出すことができる。
【００７２】
ピークリストからピークの数を読み出して通知するので、ユーザによる無駄な実行を省略することができる。例えばカレントマーカを中心とする左右のピーク点の個数を表示手段に表示すれば、ユーザはその表示を見て、例えば更に右側のピークの信号を観測したい場合には、カレントマーカを右側に再設定すれば、観測したい信号のピークを知ることができる。
【００７３】
マルチマーカのマーカナンバー順にオンになっているマルチマーカのデータ（周波数、時間、レベルの各データ）を同時に読み出して出力するので、表示手段の管面上に設定表示された全てのマルチマーカに関するデータを外部に出力することができる。
【図面の簡単な説明】
【図１】  本発明による信号分析装置の機能ブロック図
【図２】  本発明による信号分析装置のピークホールド機能を説明するための図
【図３】  本発明による信号分析装置でピークホールド機能を実行したときのマーカリストなしの表示状態の一例を示す図
【図４】  本発明による信号分析装置でピークホールド機能を実行したときのマーカリスト付きの表示状態の一例を示す図
【図５】  従来のマーカ表示において信号の値を読み出す方法を説明するための波形の一例を示す図
【図６】  マルチマーカの表示例を示す図
【符号の説明】
１…信号分析装置、２…周波数変換部、２ａ…局部発振器、３…掃引制御部、４…検波器、５…Ａ／Ｄ変換器、６…記憶手段、７…表示手段、７ａ…管面、８…設定手段、９…信号処理手段、１１…カレントマーカ、１２（１２ａ〜１２ｃ）…マルチマーカ。
【図１】
0003836303.tif 000003
【図２】
0003836303.tif 000004
【図３】
0003836303.tif 000005
【図４】
0003836303.tif 000006
【図５】
0003836303.tif 000007
【図６】
0003836303.tif 000008